(57)【要約】【課題】予め定められた電圧以上に電圧が高くなった場合、予め定められた場所以外の場所で放電が発生するのを防止する技術を提供する。【解決手段】安全装置１００は、電気の伝送路となる平板電極１に付加して固定された接地電位を有する平板状の電極１０１と、平板状に形成された絶縁するための絶縁物１０４と、固定するクリップ１０５とを備え、平板電極１と電極１０１とで絶縁物１０４を挟んだ構造をクリップ１０５で固定している。この安全装置１００では、予め定められた電圧以上に電圧が高くなった場合、絶縁物１０４において絶縁破壊が発生し、平板電極１から電極１０１に電流が流れる。【選択図】図１
2010205666.tif 000002
【特許請求の範囲】
【請求項１】
電気の伝送路となる平板電極に付加して固定された接地電位を有する電極を備えることを特徴とする安全装置。
【請求項２】
平板状に形成された絶縁するための絶縁物を備え、
前記平板電極と平板状に形成された前記電極とで前記絶縁物を挟んだ構造とすることを特徴とする請求項１に記載の安全装置。
【請求項３】
前記平板電極と前記電極とで前記絶縁物を挟んだ構造を固定する固定手段を備え、
前記固定手段は絶縁体で形成されていることを特徴とする請求項２に記載の安全装置。
【請求項４】
前記絶縁物により前記電極が前記平板電極から予め定められた距離に保持され、前記平板電極と前記電極との間に空隙が形成されていることを特徴とする請求項２または３に記載の安全装置。
【発明の詳細な説明】
【技術分野】
【０００１】
本発明は、安全装置に関する。
【背景技術】
【０００２】
従来の技術としては、例えば特許文献１や特許文献２などがある。特許文献１に記載の放電保護回路では、高圧トランスの２次側に生じた放電パルスが異常放電を起こすと、ツェナーダイオードを導通させ、トランスを導通状態にし、制御回路に制御電圧を供給するトランジスタを非導通にし、制御回路から発振回路に供給される制御電圧を遮断し、発振動作を停止させている。
【０００３】
特許文献２に記載の画像形成装置では、グランドに接地された金属部材と転写ロールの軸部との距離を、グランドに接地されたシュートと転写ロールの軸部との距離より短くすることにより、異常電圧になった場合に、シュートと転写ロールの軸部との間で放電を生じさせず、金属部材と転写ロールの軸部との間で放電を生じさせている。
【先行技術文献】
【特許文献】
【０００４】
【特許文献１】特開平５−１６８２３０号公報
【特許文献２】特開２００７−２９８９０６号公報
【発明の概要】
【発明が解決しようとする課題】
【０００５】
本発明は、予め定められた電圧以上に電圧が高くなった場合、予め定められた場所以外の場所で放電が発生するのを防止する技術を提供することにある。
【課題を解決するための手段】
【０００６】
請求項１に記載の発明は、電気の伝送路となる平板電極に付加して固定された接地電位を有する電極を備えることを特徴とする安全装置である。
【０００７】
請求項２に記載の発明は、請求項１に記載の発明において、平板状に形成された絶縁するための絶縁物を備え、前記平板電極と平板状に形成された前記電極とで前記絶縁物を挟んだ構造とすることを特徴とする。
【０００８】
請求項３に記載の発明は、請求項２に記載の発明において、前記平板電極と前記電極とで前記絶縁物を挟んだ構造を固定する固定手段を備え、前記固定手段は絶縁体で形成されていることを特徴とする。
【０００９】
請求項４に記載の発明は、請求項２または３に記載の発明において、前記絶縁物により前記電極が前記平板電極から予め定められた距離に保持され、前記平板電極と前記電極との間に空隙が形成されていることを特徴とする。
【発明の効果】
【００１０】
請求項１に記載の発明によれば、予め定められた電圧以上に電圧が高くなった場合、予め定められた場所以外の場所で放電が発生するのを防止することができる。
【００１１】
請求項２に記載の発明によれば、電極と平板電極との距離が変化するのを防止することができる。
【００１２】
請求項３に記載の発明によれば、既に設置されている電気機器に安全装置を後から実装することができる。
【００１３】
請求項４に記載の発明によれば、絶縁物を形成する材料の耐熱性および難燃性について考慮する必要性を低減させることができる。
【図面の簡単な説明】
【００１４】
【図１】第１の実施形態にかかる安全装置を示す平面図である。
【図２】図１の下方から見た場合の安全装置を示す側面図である。
【図３】第２の実施形態にかかる安全装置を示す平面図である。
【図４】図３の下方から見た場合の安全装置を示す側面図である。
【図５】第３の実施形態にかかる安全装置を示す側面図である。
【図６】第４の実施形態にかかる安全装置を示す平面図である。
【図７】図６の下方から見た場合の安全装置を示す側面図である。
【発明を実施するための形態】
【００１５】
（１）第１の実施形態
以下、安全装置の一実施形態について図面を参照して説明する。図１は第１の実施形態にかかる安全装置を示す平面図であり、図２は図１の下方から見た場合の安全装置を示す側面図である。
【００１６】
安全装置１００は、例えば、スキャナ機能、ＦＡＸ機能、複写機能またはこれらの機能を備える画像形成装置の現像装置や転写装置などの電気機器に備えられるものである。電気機器は、図１に示すように、平板電極１、送電線２およびコネクタ３などを備えている。安全装置１００は、電気機器の電源の故障などにより、予め定められた電圧以上に電圧が高くなる異常出力が発生した場合、予め定められた場所以外の場所で放電が発生するのを防止して、電気機器の一部分が破損するのを防止する。尚、予め定められた電圧とは、画像形成装置の現像装置や転写装置などの電気機器が、通常の使用状態の際に印加される電圧を越えた電圧であって、通常の使用状態を想定しながら相応の値に適宜設定して良い。この際、画像形成装置の現像装置や転写装置などの使用環境（温度、湿度等）を考慮することは有効である。
【００１７】
平板電極１は、金属などの導体により平板状に形成されている。平板電極１は、電気の伝送路となる。平板電極１の一端は、コネクタ３を介して送電線２に接続されている。平板電極１の他端は、例えば電気機器が画像形成装置の場合には、ばねを介してロールを支持する導電ベアリングに接続されている。
【００１８】
送電線２は、図示省略した電源から電力を送るための電線である。コネクタ３は、平板電極１と送電線２とを接続するための部材である。
【００１９】
安全装置１００は、図１および図２に示すように、電極１０１、接地電線１０２、接地コネクタ１０３、絶縁物１０４および固定手段の一例としてクリップ１０５を備えている。
【００２０】
電極１０１は、図１および図２に示すように、平板電極１に付加して固定されている。換言すると、電極１０１は、平板電極１に対して固定されている。電極１０１は、金属などの導体により平板状に形成されている。電極１０１の一端は、接地コネクタ１０３を介して接地された電線１０２に接続されている。したがって、電極１０１は、接地電位を有する。電極１０１の他端側は、平面視で円形状に形成されている。また、電極１０１の他端側は、平板電極１の面に垂直な方向に配置されている。
【００２１】
接地電線１０２は、図示省略した端子を介して接地されている。接地コネクタ１０３は、電極１０１と接地電線１０２とを接続するための部材である。
【００２２】
絶縁物１０４は、図２に示すように、平板電極１と電極１０１とに挟まれて、平板電極１および電極１０１に密着している。絶縁物１０４は、セラミックや樹脂などの絶縁体により平板状に形成されている。また、絶縁物１０４は、図１に示すように、沿面放電を防止するため、電極１０１の他端側に比べて、平面視で形状が大きくなるように矩形状に形成されている。また、絶縁物１０４は、予め定められた絶縁耐圧を有するように形成されている。絶縁物１０４では、予め定められた電圧以上に電圧が高くなると、絶縁破壊が発生し、平板電極１から電極１０１に向かって電流が流れる。
【００２３】
例えば、絶縁物１０４の絶縁破壊耐圧を２ｋＶ／ｍｍ程度とし、保護電圧を４ｋＶ程度とした場合、絶縁物１０４は、厚さが２ｍｍ程度、縦が１０ｍｍ程度、横が１０ｍｍ程度に形成される。この構成の絶縁物１０４の場合、４ｋＶ程度以上の電圧が平板電極１に掛かると、絶縁物１０４において絶縁破壊が発生し、絶縁物１０４を介して平板電極１から電極１０１に電流が流れる。この構成の絶縁物１０４を有する安全装置１００は、小型化して電気機器に付加することが可能となる。
【００２４】
なお、絶縁物１０４は、熱による構造破壊を防ぐため、耐熱性および難燃性を有する材料により形成されることが好ましい。
【００２５】
クリップ１０５は、図２に示すように、プラスチックなどの絶縁体により側面視でコ字状に形成されている。クリップ１０５は、クリップ１０５の弾力により、平板電極１と電極１０１とで絶縁物１０４を挟んだ構造を固定して保持している。
【００２６】
（第１の実施形態の優位性）
第１の実施形態の安全装置１００によれば、平板電極１に付加して固定された接地電位を有する電極１０１を備えているため、予め定められた絶縁耐圧を有するように、電極１０１は平板電極１から予め定められた位置に保持され、予め定められた電圧以上に電圧が高くなった場合、平板電極１から電極１０１に電流が流れる。そのため、予め定められた電圧以上に電圧が高くなった場合、予め定められた場所以外の場所で放電が発生するのを防止する。
【００２７】
また、第１の実施形態の安全装置１００によれば、平板電極１と電極１０１とで絶縁物１０４を挟んだ構造としているため、電極１０１と平板電極１との距離が変化するのを防止する。そのため、電極１０１は平板電極１から予め定められた位置に保持され、予め定められた電圧以上に電圧が高くなった場合、絶縁物１０４において絶縁破壊が発生し、絶縁物１０４を介して平板電極１から電極１０１に電流が流れて、予め定められた場所以外の場所で放電が発生するのを防止する。
【００２８】
また、第１の実施形態の安全装置１００によれば、平板電極１と電極１０１とで絶縁物１０４を挟んだ構造を固定するクリップ１０５を備えているため、電気機器に予め安全装置が設けられている場合に比べて、安全装置１００を電気機器に簡単に着脱することが可能となる。そのため、既に設置されている電気機器に安全装置１００を後から実装することが可能となり、絶縁耐圧や保護電圧などを変更する必要性が発生した場合でも対応可能となる。
【００２９】
（２）第２の実施形態
第２の実施形態は、上記第１の実施形態の電極およびクリップを変更したものである。したがって、主に変更した部分について説明し、第１の実施形態と同様な構成の説明は省略する。図３は第２の実施形態にかかる安全装置を示す平面図であり、図４は図３の下方から見た場合の安全装置を示す側面図である。なお、図３では後述する取付部４を省略して図示している。
【００３０】
安全装置２００は、図３および図４に示すように、電極２０１、接地電線１０２、接地コネクタ１０３、絶縁物１０４および固定手段の一例としてねじ２０５を備えている。安全装置２００は、ねじ２０５により平板電極１とともに取付部４に取り付けられている。
【００３１】
電極２０１は、図３および図４に示すように、平板電極１に付加して固定されている。換言すると、電極２０１は、平板電極１に対して固定されている。電極２０１は、金属などの導体により平板状に形成されている。電極１０１の一端は、接地コネクタ１０３を介して接地された電線１０２に接続されている。したがって、電極２０１は、接地電位を有する。電極２０１の他端側は、ねじ２０５を取り付けられるように、平面視でねじ２０５の径より大きくなるように矩形状に形成されている。また、電極２０１の他端側の一部は、平板電極１の面に垂直な方向に配置されている。
【００３２】
ねじ２０５は、樹脂などにより形成された絶縁体である。ねじ２０５は、平板電極１と電極２０１とで絶縁物１０４を挟んだ構造を固定して保持している。ねじ２０５は、平板電極１、絶縁物１０４および電極２０１に形成されている図示省略したねじ孔を貫通し、平板電極１、絶縁物１０４および電極２０１を取付部４に固定している。
【００３３】
第２の実施形態の安全装置２００によれば、予め定められた電圧以上に電圧が高くなった場合、絶縁物１０４において絶縁破壊が発生し、絶縁物１０４を介して平板電極１から電極２０１に電流が流れて、予め定められた場所以外の場所で放電が発生するのを防止する。また、第２の実施形態の安全装置２００によれば、平板電極１と電極２０１とで絶縁物１０４を挟んだ構造を固定するねじ２０５を備えているため、クリップ１０５の場合に比べて、平板電極１と電極２０１とで絶縁物１０４を挟んだ構造がより保持される。
【００３４】
（３）第３の実施形態
第３の実施形態は、上記第２の実施形態の絶縁物を変更したものである。したがって、主に絶縁物について説明し、第２の実施形態と同様な構成の説明は省略する。図５は第３の実施形態にかかる安全装置を示す側面図である。
【００３５】
安全装置３００は、図５に示すように、電極２０１、接地電線１０２、接地コネクタ１０３、２枚の絶縁物３０４およびねじ２０５を備えている。安全装置２００は、ねじ２０５により取付部４に取り付けられている。
【００３６】
２枚の絶縁物３０４は、平板電極１と電極２０１とで挟まれて、平板電極１および電極２０１に密着している。また、２枚の絶縁物３０４は、予め定められた距離を離して設けられている。そのため、電極２０１が平板電極１から予め定められた距離に保持され、平板電極１と電極２０１との間に空隙Ａが形成されている。絶縁物３０４は、セラミックや樹脂などの絶縁体により平板状に形成されている。
【００３７】
なお、絶縁物３０４が２枚設けられている場合に限らず、電極２０１が平板電極１から予め定められた距離に保持され、平板電極１と電極２０１との間に空隙Ａが形成されれば、絶縁物３０４を円筒形状などに形成してもよい。
【００３８】
第３の実施形態の安全装置３００によれば、予め定められた電圧以上に電圧が高くなった場合、空隙Ａを介して平板電極１から電極２０１に電流が流れて、つまり空隙Ａにおいて放電が発生して、予め定められた場所以外の場所で放電が発生するのを防止する。また、第３の実施形態の安全装置３００によれば、空隙Ａにおいて放電が発生するため、絶縁物３０４を形成する材料の耐熱性および難燃性を考慮する必要性が低減される。
【００３９】
（４）第４の実施形態
第４の実施形態は、上記第１の実施形態の電気機器およびクリップの構成を変更したものである。したがって、主に変更した部分について説明し、第１の実施形態と同様な構成の説明は省略する。図６は第４の実施形態にかかる安全装置を示す平面図であり、図７は、図６の下方から見た場合の安全装置を示す側面図である。
【００４０】
電気機器は、図６および図７に示すように、平板電極の一例として中継端子５、送電線２、出力コネクタ６、基板７、トランス８および出力端子９などを備えている。
【００４１】
中継端子５は、金属などの導体により平板状に形成されている。中継端子５は、電気の伝送路となる。中継端子５の一端は、出力コネクタ６を介して送電線２に接続されている。中継端子５の他端は、基板７に設けられているトランス８の出力端子９に接続されている。
【００４２】
出力コネクタ３は、中継端子５と送電線２とを接続するための部材である。出力コネクタ３は、送電線２と出力端子９とを接続することも可能である。つまり、既に設置されている電気機器に安全装置４００を後から実装するために、平板状の中継端子５が出力コネクタ６と出力端子９との間に付加されている。
【００４３】
安全装置４００は、図６および図７に示すように、電極１０１、接地電線１０２、接地コネクタ１０３、絶縁物１０４および固定手段の一例として図示省略した接着剤を備えている。接着剤は、中継端子５と電極１０１とで絶縁物１０４を挟んだ構造を固定して保持している。つまり、接着剤は、中継端子５と絶縁物１０４との間、および絶縁物１０４と電極１０１との間に塗布され、中継端子５と電極１０１とで絶縁物１０４を挟んだ構造を固定して保持している。
【００４４】
第４の実施形態の安全装置４００によれば、予め定められた電圧以上に電圧が高くなった場合、絶縁物１０４において絶縁破壊が発生し、絶縁物１０４を介して中継端子５から電極１０１に電流が流れて、予め定められた場所以外の場所で放電が発生するのを防止する。また、第４の実施形態によれば、出力コネクタ６と出力端子９との間に中継端子５を付加することで、中継端子５を付加した部分に安全装置４００を付加することが可能となり、既に設置されている電気機器に安全装置４００を後から実装することが可能となる。
【産業上の利用可能性】
【００４５】
本発明は、スキャナ機能、ＦＡＸ機能、複写機能またはこれらの機能を備えた画像形成装置などの電気機器に利用することができる。
【符号の説明】
【００４６】
１…平板電極、５…中継端子、１００…安全装置、１０１…電極、１０４…絶縁物、１０５…クリップ、２０５…ねじ、Ａ…空隙。
【図１】
2010205666.tif 000003
【図２】
2010205666.tif 000004
【図３】
2010205666.tif 000005
【図４】
2010205666.tif 000006
【図５】
2010205666.tif 000007
【図６】
2010205666.tif 000008
【図７】
2010205666.tif 000009